(57)【要約】【課題】ＰＣモニタ機能とＴＶ表示機能とのマルチディスプレイ機能を有する液晶テレビやプラズマテレビなどのＴＶ受像機において、ＴＶ表示画面（子画面）によりＰＣモニタ画面（親画面）の一部分が隠れて、ＰＣ画面上で表計算作業や文書作成作業などの作業性が低下する。【解決手段】ＰＣ映像信号とスケーリングされたＴＶ映像信号をフレームメモリ上で、画面が重畳しないように合成する映像信号合成部を備え、ＰＣ画面（親画面）とＴＶ画面（子画面）をタイル表示する。さらに、複数の子画面を有し、ひとつの子画面にＴＶ映像の動画表示をおこない、他の子画面にはＴＶ映像の静止画を表示し、複数ＴＶ映像チャネルの並列表示をおこなう。【選択図】  図１
2004334058.tif 000002
【特許請求の範囲】
【請求項１】
ＰＣ映像信号とＴＶ映像信号を同時に表示する表示装置であって、
該表示装置の解像度に対応した表示情報を格納するフレームメモリと、
前記ＴＶ映像信号の解像度を変換するスケーリング部と、
ＰＣの映像信号とスケーリングされたＴＶ映像信号に対応するＰＣ表示情報とＴＶ映像情報を前記フレームメモリの重畳しない領域に記録する映像信号合成部とを備え、
ＰＣ映像信号とＴＶ映像信号をタイル表示することを特徴とする表示装置。
【請求項２】
請求項１記載の表示装置において、
該表示装置の制御をおこなうリモコンを有し、
前記リモコンの操作情報に基き前記ＴＶ映像情報を記録する領域を選択する
ことを特徴とする表示装置。
【請求項３】
ＷＸＧＡの解像度を有する表示装置において、
ひとつのＸＧＡ相当の解像度を有するＰＣ映像表示領域と、
４つのスケーリングされたＴＶ映像信号を表示するＴＶ映像表示領域とを有し、前記ＰＣ映像表示領域とＴＶ映像表示領域とを重畳しないようにタイル状に配置することを特徴とする表示装置。
【請求項４】
請求項３記載の表示装置において、
該表示装置の制御をおこなうリモコンを有し、
前記リモコンの操作情報に基き前記４つのＴＶ映像表示領域のいずれかひとつを選択し、該選択されたＴＶ映像表示領域には動画を表示し、他のＴＶ映像表示領域にはＴＶ映像の静止画を表示することを特徴とする表示装置。
【請求項５】
請求項３記載の表示装置において、
前記ＴＶ映像信号は、ＴＶ映像のアスペクト比を保持ししたままスケーリングすることを特徴とする表示装置。
【請求項６】
複数領域のマルチ表示をおこなう表示装置の表示制御方法であって、
ひとつ領域にＰＣ映像情報を記録するステップと、
前記ＰＣ映像情報を記録する領域とは重畳しない他の領域にＴＶ映像情報を記録するステップと、
前記複数の領域をまとめて表示するステップと
を有することを特徴とする表示制御方法。
【請求項７】
請求項６記載の表示制御方法において、
リモコンからの操作指示に基きＴＶ映像情報を記録する領域を選択するステップと、
前記複数の領域ごとに定められたＴＶチャネルに従い該領域にＴＶ映像情報を記録するステップとを有することを特徴とする表示制御方法。
【請求項８】
請求項６記載の表示制御方法において、
予め定められた時刻ごとにＴＶ映像情報を記録する領域を選択するステップと、
前記複数の領域ごとに定められたＴＶチャネルに従い該領域にＴＶ映像情報を記録するステップとを有し、
前記複数のＴＶ映像情報を表示する領域を巡回することを特徴とする表示制御方法。
【請求項９】
請求項６記載の表示制御方法において、
予め定められた時刻ごとにＴＶ映像情報を記録している領域以外の領域について前記複数の領域ごとに定められたＴＶチャネルに従い該領域のＴＶ映像情報を更新するステップを有することを特徴とする表示制御方法。
【請求項１０】
請求項６記載の表示制御方法において、
予め定められた時刻ごとにＴＶ映像情報を記録する領域を選択するステップと、
前記領域に記録するＴＶチャネルを該表示装置で表示可能な全チャネルを巡回するように更新するステップと、
前記更新したＴＶチャネルに対応するＴＶ映像情報を前記選択された領域に記録するステップとを有し、
該表示装置で表示可能な全チャネルを巡回表示することを特徴とする表示制御方法。
【請求項１１】
請求項６記載の表示制御方法において、
リモコンからの操作指示に基き前記ＰＣ映像情報を記録する領域とは重畳しない他の領域ごとに定められたＴＶチャネル情報を該表示装置で表示可能な全チャネルを巡回するように更新するステップと、
前記更新したＴＶチャネル情報に基づいて前記他の領域にＴＶ映像情報の静止画情報を記録するステップと、
リモコンからの操作指示に基きＴＶ映像情報を記録する領域を選択するステップと、
前記複数の領域ごとに定められたＴＶチャネルに従い該領域にＴＶ映像情報を記録するステップと
を有することを特徴とする表示制御方法。
【発明の詳細な説明】
【０００１】
【発明の属する技術分野】
本発明はパーソナルコンピュータ（以下、ＰＣと記す）から出力されるＰＣ映像信号（ＲＧＢ信号）と、テレビジョン放送などのＴＶ映像信号（ＮＴＳＣ信号など）を表示する表示装置に係り、特に上記ＰＣ映像信号とＴＶ映像信号を同一画面上に同時に表示するのに好適な表示装置に関する。
【０００２】
【従来の技術】
従来、テレビビジョン受像機（以下、ＴＶ受像機と記す）においては、複数のテレビジョン放送番組をＴＶ受像機の画面上に同時に表示する方法として、図１１に示す方法が知られている。図１１（ａ）は、いわゆるピクチャ・イン・ピクチャと呼ばれている方法で、１つのテレビジョン放送番組をＴＶ受像機の画面全体に親画面として表示し、もう一つのテレビジョン放送番組を子画面として親画面の上に重ねて、同時に２つの異なるテレビジョン放送番組を視聴者が視聴できるようにしたものである。
【０００３】
最近では、ＰＣの一般家庭への普及に伴い、家庭内でＴＶ受像機とＰＣモニタを１台の表示装置で兼用したいとのニーズが高まっている。これに応えるため、液晶テレビやプラズマテレビ等のＴＶ受像機を中心に、ＰＣから出力されるＰＣ映像信号（ＲＧＢ信号）の入力端子を装備し、ＰＣから出力されるＰＣ映像信号を表示できるようにした、いわゆるＰＣモニタ機能を有する機種が存在する。
【０００４】
これらのＰＣモニタ機能を有するＴＶ受像機では、テレビジョン放送のＴＶ映像信号とＰＣから出力されるＰＣ映像信号を同時に表示する方法として、図１１（ｂ）に示すように、ＰＣから出力されるＰＣ映像信号を表示するＰＣモニタ画面を親画面、テレビジョン放送のＴＶ映像信号を表示するＴＶ画面を子画面にした、ピクチャ・イン・ピクチャ表示が知られている。
【０００５】
さらに、ピクチャ・イン・ピクチャ表示において、ＴＶ画面（子画面）の表示位置をＴＶ受像機のリモコン操作などにより変更できる機能を有しているものも知られている。
【０００６】
ユーザがＴＶ受像機をＰＣモニタの兼用として使用する場合、ＰＣ本体のマウスやキーボード操作によりＰＣ画面上で表計算作業や文書作成作業などを行う場合、このような作業中であっても、ＴＶ画面（子画面）によってテレビジョン放送番組を同時に視聴できるというメリットがある。
【０００７】
他方、アスペクト比１６：９の画面を有するワイドモニタで、左詰めで、アスペクト比が４：３のテレビジョン放送の映像信号が表示し、その右側の映像信号のブランキング期間に重畳しないようにデータ放送用データを表示する技術が知られている（例えば、特許文献１を参照）。
【０００８】
【特許文献１】
特開平９−１８８０１号公報
【０００９】
【発明が解決しようとする課題】
上記ＰＣモニタ機能を有する液晶テレビやプラズマテレビなどのＴＶ受像機において、上記従来のピクチャ・イン・ピクチャ表示では、ＰＣモニタ画面（親画面）の上にＴＶ画面（子画面）を重ねて表示する。ユーザがＴＶ受像機をＰＣモニタの兼用として使用する場合、ＰＣ本体のマウスやキーボード操作でＰＣ画面上で表計算作業や文書作成作業などを行う際、上記従来技術では、ＴＶ画面（子画面）によってＰＣモニタ画面（親画面）の一部分が隠れて、ＰＣ画面上で表計算作業や文書作成作業などの作業性が著しく劣化するという大きな問題がある。
【００１０】
【課題を解決するための手段】
上記課題を解決するために、ＰＣ映像信号とＴＶ映像信号を同時に表示する表示装置であって、該表示装置の解像度に対応した表示情報を格納するフレームメモリと、前記ＴＶ映像信号の解像度を変換するスケーリング部と、ＰＣの映像信号とスケーリングされたＴＶ映像信号に対応するＰＣ表示情報とＴＶ映像情報を前記フレームメモリの重畳しない領域に記録する映像信号合成部とを備え、ＰＣ映像信号とＴＶ映像信号をタイル表示するようにした。
【００１１】
さらに、ＴＶ映像情報を記録領域を重畳しないように複数設け、これら複数の領域ごとに表示するＴＶチャネル情報を予め定め、前記ＴＶチャネル情報に基いてひとつの領域のＴＶ映像情報は動画表示をおこない、他の領域のＴＶ映像情報の静止画を表示するようにした。ここで、動画表示をおこなう領域は、表示装置の操作をおこなうリモコンからの操作情報から選択するか、または、予め選択タイミングを定め、このタイミングで動画表示をおこなう領域を選択するようにした。
【００１２】
【発明の実施の形態】
本発明の実施の形態を、図面を用いて詳細に説明する。
図１は、本発明の第１の実施の形態における表示装置のブロック図である。図１の本発明の表示装置は、テレビジョン放送を受信しＴＶ映像信号を表示する機能と、ＰＣから出力されるＰＣ映像信号を表示する機能と、該ＰＣ映像信号とＴＶ映像信号を互いに重なり合わないように同一画面上に同時に表示する機能を有する。
【００１３】
なお、図１の本発明の表示装置では、映像信号の表示デバイスとして、ＣＲＴや液晶パネルやプラズマディスプレイパネルなど、表示デバイスの種類およびその解像度を特に限定するものではないが、一例として解像度が水平１２８０画素，垂直７６８ラインの所謂ＷＸＧＡの解像度を有する液晶パネルを用いた場合を例にして説明する。したがって、図１の表示部２００は、所謂ＷＸＧＡの解像度を有する液晶パネルで構成されるものとする。
【００１４】
まず初めに、本発明の表示装置において、テレビジョン放送を受信し、ユーザが選局したテレビジョン放送番組のＴＶ映像信号を表示部２００に全画面表示する場合について説明する。
【００１５】
図１のアンテナ入力端子１０には、テレビジョン放送電波を受信するアンテナが接続され、アンテナ入力端子１０を介してチューナ２０にテレビジョン放送電波が入力される。チューナ２０は、ユーザが本発明の表示装置を制御するリモコン３００の操作によって所定のテレビジョン放送番組（チャンネル）の選局を指令すると、選局指令信号がリモコン制御信号受信部３０１を介してマイクロコンピュータなどで構成され本発明の表示装置全体を制御するシステム制御部３０に入力され、さらに該システム制御部３０からの指令に基づき、所定のテレビジョン放送番組（チャンネル）を選局受信して、選局したテレビジョン放送番組のＴＶ映像信号（例えば、ＮＴＳＣ信号）を出力する。
【００１６】
本発明においては、ＴＶ映像信号の形式を特に限定するものではないが、以下の説明では、ＴＶ映像信号はＮＴＳＣ信号を例にして説明する。
【００１７】
チューナ２０で選局受信して出力されるＴＶ映像信号は、映像信号処理部１００内のＡＤ変換部１１０に供給される。ＡＤ変換部１１０は、入力されたＴＶ映像信号を、所定のサンプリング周波数でアナログ信号からデジタル信号にＡＤ変換する。ＴＶ映像信号がＮＴＳＣ信号の場合、サンプリング周波数は、１水平走査線（１ライン）当たりの水平有効画素数が７６８画素／ラインになるよう設定される。なお、垂直有効ライン数はＮＴＳＣ信号の場合、１フレーム当たり４８５ライン／フレームであるため、ＡＤ変換部１１０からは、水平有効画素数が７６８画素／ライン，垂直有効ライン数が４８５ライン／フレームのデジタルＴＶ映像信号が出力されることになる。
【００１８】
ＡＤ変換部１１０でアナログ信号からデジタル信号に変換されたデジタルＴＶ映像信号は、ＲＧＢ変換部１２０に供給される。ＲＧＢ変換部１２０は、該デジタルＴＶ映像信号（ＮＴＳＣ信号）をデジタルＲＧＢ信号に変換する。
【００１９】
前述したように、図１の表示部２００は、ＣＲＴ、液晶パネル、プラズマディスプレイパネルなどで構成されるが、表示デバイスの入力信号はＲＧＢ信号の形態が一般的である。このため、ＴＶ映像信号を表示部２００で表示するには、デジタルＴＶ映像信号をデジタルＲＧＢ信号に変換する必要がある。上記ＲＧＢ変換部１２０は、所謂マトリクス回路などで構成され、入力されたデジタルＴＶ映像信号（ＮＴＳＣ信号）から表示部２００の入力信号形態であるデジタルＲＧＢ信号を生成するよう動作し、変換されたＴＶ系デジタルＲＧＢ信号は、ＴＶ系スケーリング部１３０に出力される。
【００２０】
ＴＶ系スクーリング部１３０は、入力されたＴＶ系デジタルＲＧＢ信号を表示部２００に所定の画像サイズで表示する為に、入力されたＴＶ系デジタルＲＧＢ信号の水平および垂直の画像サイズを拡大縮小するよう動作する。ＴＶ映像信号がＮＴＳＣの場合、前記のようにＴＶ系スケーリング部１３０に入力されるＴＶ系デジタルＲＧＢ信号は、水平有効画素数が７６８画素／ライン，垂直有効ライン数が４８５ライン／フレームの画像サイズを有している。これに対して、表示部２００をＷＸＧＡの液晶パネルとした場合、表示部２００は水平１２８０画素，垂直７６８ラインの解像度を有し、該両者間に画像サイズの不整合が生じている。
【００２１】
したがって、テレビジョン放送を受信し、ユーザが選局したテレビジョン放送番組のＴＶ映像信号を表示部２００に全画面表示する場合、ＴＶ系スケーリング部１３０は、水平有効画素数が７６８画素／ライン，垂直有効ライン数が４８５ライン／フレームの画像サイズを有するＴＶ系デジタルＲＧＢ信号を、表示部２００の水平１２８０画素，垂直７６８ラインの解像度と一致した水平有効画素数が１２８０画素／ライン，垂直有効ライン数が７６８ライン／フレームの画像サイズを有するＴＶ系デジタルＲＧＢ信号に水平垂直拡大するよう動作する。なお、この拡大率は、本発明の表示装置全体を制御するシステム制御部３０からＴＶ系スケーリング部１３０に指令される。
【００２２】
ＴＶ系スケーリング部１３０で表示部２００の解像度と一致するように拡大されたＴＶ系デジタルＲＧＢ信号（水平有効画素数が１２８０画素／ライン，垂直有効ライン数が７６８ライン／フレーム）は、映像信号合成部１４０を介してフレームメモリ１５０に供給される。
【００２３】
映像信号合成部１４０は、ＴＶ映像信号とＰＣ映像信号を同一画面上に同時に表示する場合に、該両信号を合成するものであるが、詳細は後述する。テレビジョン放送を受信し、ユーザが選局したテレビジョン放送番組のＴＶ映像信号を表示部２００に全画面表示する場合は、特にＰＣ映像信号との映像信号の合成処理を行う必要はなく、上述のように、ＴＶ系スケーリング部１３０で水平垂直拡大されたＴＶ系デジタルＲＧＢ信号は、映像信号合成部１４０を介してフレームメモリ１５０に供給される。
【００２４】
フレームメモリ１５０は、表示部２００に表示するデジタルＲＧＢ信号を格納するメモリであり、少なくとも表示部２００の解像度に対応したデジタルＲＧＢ信号を格納できる容量を有する。
【００２５】
図２は、本発明の表示装置において、表示部２００に表示するデジタルＲＧＢ信号を格納するフレームメモリ１５０の格納領域の一例を示す図である。例えば、表示部２００の解像度が水平１２８０画素，垂直７６８ラインである場合、図２（ａ）に示すように、ＲＧＢの各デジタル信号に対して１２８０×７６８の容量を有し、ＴＶ系スケーリング部１３０で表示部２００の解像度と一致するように水平垂直拡大されたＴＶ系デジタルＲＧＢ信号をそれぞれ１対１にマッピングして格納する。
【００２６】
マッピング方法の一例としては、図２（ｂ）に示すように、ＲＧＢの各フレームメモリの（行アドレス＃１，列アドレス＃１）が表示部２００の表示画面の左上隅の画素に、（行アドレス＃７６８，列アドレス＃１２８０）が表示部２００の表示画面の右下隅の画素に対応するようマッピングされる。ＴＶ系スケーリング部１３０で表示部２００の解像度と一致するように水平垂直拡大され、フレームメモリ１５０の所定のアドレスに格納されたＴＶ系デジタルＲＧＢ信号（水平有効画素数が１２８０画素／ライン，垂直有効ライン数が７６８ライン／フレーム）は、映像信号合成部１４０を介して順次読み出され表示部２００に供給され表示される。
【００２７】
以上の一連の処理により、チューナ２０で選局受信されたテレビジョン放送番組のＴＶ映像信号は表示部２００が有する解像度で全画面表示され、ユーザはテレビジョン放送番組を視聴することができる。
【００２８】
次に、本発明の表示装置において、ＰＣから出力されるＰＣ映像信号の入力端子を装備し、ＰＣから出力されるＰＣ映像信号を表示部２００に全画面表示する場合について説明する。
【００２９】
図１のＰＣ入力端子４０には、ＰＣから出力されるＰＣ映像信号（ＲＧＢ信号）が入力され、映像信号処理部１００内のＡＤ変換部１６０に供給される。本実施例では、ＰＣから出力されるＰＣ映像信号（ＲＧＢ信号）の解像度を所謂ＸＧＡ（水平有効画素数が１０２４画素／ライン，垂直有効ライン数が７６８ライン／フレーム）を一例として、以下説明する。
【００３０】
ＡＤ変換部１６０は、入力されたＰＣ映像信号を、所定のサンプリング周波数でアナログ信号からデジタル信号にＡＤ変換する。ＰＣ映像信号がＸＧＡの解像度を有する場合、サンプリング周波数は、１水平走査線（１ライン）当たりの水平有効画素数が１０２４画素／ラインになるよう設定される。なお、垂直有効ライン数はＸＧＡの場合、１フレーム当たり７６８ライン／フレームであるため、ＡＤ変換部１６０からは、水平有効画素数が１０２４画素／ライン，垂直有効ライン数が７６８ライン／フレームのデジタルＰＣ映像信号（ＰＣ系デジタルＲＧＢ信号）が出力されることになる。ＡＤ変換部１６０でアナログ信号からデジタル信号に変換されたデジタルＰＣ映像信号（ＰＣ系デジタルＲＧＢ信号）は、ＰＣ系スケーリング部１７０に出力される。
【００３１】
ＰＣ系スクーリング部１７０は、入力されたＰＣ系デジタルＲＧＢ信号を表示部２００に所定の画像サイズで表示する為に、入力されたＰＣ系デジタルＲＧＢ信号の水平および垂直の画像サイズを拡大縮小するよう動作する。例えばＰＣ映像信号がＸＧＡの解像度を有する場合、前記のようにＰＣ系スケーリング部１７０に入力されるＰＣ系デジタルＲＧＢ信号は、水平有効画素数が１０２４画素／ライン，垂直有効ライン数が７６８ライン／フレームの画像サイズを有している。これに対して、表示部２００をＷＸＧＡの液晶パネルとした場合、表示部２００は水平１２８０画素，垂直７６８ラインの解像度を有し、該両者間に画像サイズの不整合が生じている。
【００３２】
したがって、ＰＣ入力端子４０から入力されたＰＣ映像信号を表示部２００に全画面表示する場合、ＰＣ系スケーリング部１７０は、水平有効画素数が１０２４画素／ライン，垂直有効ライン数が４８５ライン／フレームの画像サイズを有するＰＣ系デジタルＲＧＢ信号を、表示部２００の水平１２８０画素，垂直７６８ラインの解像度と一致した水平有効画素数が１２８０画素／ライン，垂直有効ライン数が７６８ライン／フレームの画像サイズを有するＰＣ系デジタルＲＧＢ信号に水平拡大するよう動作する。なお、この拡大率は、本発明の表示装置全体を制御するシステム制御部３０からＰＣ系スケーリング部１７０に指令される。
【００３３】
ＰＣ系スケーリング部１７０で表示部２００の解像度と一致するように拡大されたＰＣ系デジタルＲＧＢ信号（水平有効画素数が１２８０画素／ライン，垂直有効ライン数が７６８ライン／フレーム）は、映像信号合成部１４０を介してフレームメモリ１５０に供給される。ＰＣ入力端子４０から入力されたＰＣ映像信号を表示部２００に全画面表示する場合は、特にＴＶ映像信号との映像信号の合成処理を行う必要はない。ＰＣ系スケーリング部１７０で表示部２００の解像度と一致するように水平拡大され、フレームメモリ１５０の所定のアドレスに格納されたＰＣ系デジタルＲＧＢ信号（水平有効画素数が１２８０画素／ライン，垂直有効ライン数が７６８ライン／フレーム）は、映像信号合成部１４０を介して順次読み出され表示部２００に供給され表示される。
【００３４】
以上の一連の処理により、ＰＣ入力端子４０から入力されたＰＣ映像信号は表示部２００が有する解像度で全画面表示され、ユーザはＰＣモニタとして本発明の表示装置を使用することができる。
【００３５】
上記実施例では、ＰＣ入力端子４０から入力されたＸＧＡの解像度を有するＰＣ映像信号を、ＰＣ系スケールリング部１７０で表示部２００の解像度に整合させるため水平拡大を行ったが、ＡＤ変換部１６０から出力されたＰＣ系デジタルＲＧＢ信号をＰＣ系スケーリング部１７０で水平拡大せずにフレームメモリ１５０の所定の領域に格納して、図３の表示画面例に示すようにＸＧＡの解像度を有するＰＣ映像信号を表示画面の中央に表示するようにしても、元の入力されたＰＣ映像信号の解像度を劣化させることなく表示させることができる。このとき、フレームメモリ１５の書き込む領域に応じて、ＰＣ映像信号の表示位置を上記のように表示画面の中央部以外にも表示することができる。
【００３６】
また、ＰＣ入力端子４０から入力されるＰＣ映像信号が所謂ＶＧＡ（水平有効画素数が６４０画素／ライン，垂直有効ライン数が４８０ライン／フレーム）の場合には、ＰＣ系スケーリング部１７０において、システム制御部３０からの指令に基づき、ＶＧＡの解像度を有するＰＣ映像信号を水平有効画素数が１２８０画素／ライン，垂直有効ライン数が７６８ライン／フレームとなるように水平垂直拡大すれば、表示部２００に全画面表示することができる。このように、本発明の表示装置においては、ＰＣ映像信号を全画面表示する場合、ＰＣ入力端子４０から入力されるＰＣ映像信号の解像度が特に限定されるものではない。
【００３７】
さらに上記実施例では、入力されたＰＣ映像信号をＡＤ変換部１６０で、デジタル信号にＡＣ変換する例を説明したが、ＰＣ映像信号がデジタル信号で入力される場合には、指定された解像度情報のままＰＣ映像信号の入力をおこない、ＰＣ系スケーリング部１７０に出力するようにする。
【００３８】
次に、図１２に示すように、ＰＣ映像信号を親画面、ＴＶ映像信号を子画面として、重畳しないようにタイル表示する場合について詳細に説明する。なお、前述と同様に、ＰＣ入力端子４０から入力されるＰＣ映像信号の解像度は所謂ＸＧＡ（水平有効画素数が１０２４画素／ライン，垂直有効ライン数が７６８ライン／フレーム）、ＴＶ映像信号はＮＴＳＣ信号、表示部２００は水平有効画素数が１０２４画素／ライン，垂直有効ライン数が７６８ライン／フレームの解像度を有する液晶パネルとした場合を例にして説明する。
【００３９】
ＰＣ入力端子４０から入力されたＸＧＡの解像度を有するＰＣ映像信号は、前述と同様にシステム制御部３０の指令に基づきＡＤ変換部１６０でアナログ信号からデジタル信号に変換されて、水平有効画素数が１０２４画素／ライン，垂直有効ライン数が７６８ライン／フレームのＰＣ系デジタルＲＧＢ信号がＰＣ系スケーリング部１７０に供給される。ＰＣ系スケーリング部１７０では、入力されたＰＣ系デジタルＲＧＢ信号に対して特に拡大縮小処理を行わず、上記解像度を有するＰＣ系デジタルＲＧＢ信号をそのままの画像サイズで映像信号合成部１４０に供給する。映像信号合成部１４０は、システム制御部３０の指令に基づき、映像信号合成部１４０に供給されたＰＣ系デジタルＲＧＢ信号をフレームメモリ１５０の所定の領域に格納するよう動作する。
【００４０】
この際、フレームメモリ１５０は図２に示したように、ＲＧＢの各フレームメモリの（行アドレス＃１，列アドレス＃１）が表示部２００の表示画面の左上隅の画素に、（行アドレス＃７６８，列アドレス＃１２８０）が表示部２００の表示画面の右下隅の画素に対応するようマッピングされている。したがって、映像信号合成部１４０を介して供給された水平有効画素数が１０２４画素／ライン，垂直有効ライン数が７６８ライン／フレームのＰＣ系デジタルＲＧＢ信号は、図１２に示したように、ＰＣ映像信号を表示部２００で表示画面の左寄せで表示するためには、図４に示すように、  （行アドレス＃１，列アドレス＃１）から（行アドレス＃７６８，列アドレス＃１０２４）の領域にそれぞれマッピングされて図１２に示す親画面として格納される。なお図４は、本発明の目的である、ＰＣ映像信号を親画面、ＴＶ映像信号を子画面として、図１２に示すように、親画面と子画面が重ならないように同一画面上に配置表示する場合のフレームメモリ１５０の格納領域の一例を示す図である。
【００４１】
一方、アンテナ入力端子１０から供給されたテレビジョン放送電波はチューナ２０に入力される。前述したように、ユーザがリモコン３００の操作によって選局指令がリモコン制御信号受信部３０１を介してシステム制御部３０入力されると、システム制御部３０は選局指令された所定のテレビジョン放送番組（チャンネル）を受信するようチューナ２０に指令する。チューナ２０は、システム制御部３０からの選局指令に基づき、所定のテレビジョン放送番組（チャンネル）を選局受信して、選局したテレビジョン放送番組のＴＶ映像信号（ＮＴＳＣ信号）を出力する。チューナ２０で選局受信して出力されるＴＶ映像信号（ＮＴＳＣ信号）は、映像信号処理部１００内のＡＤ変換部１１０とＲＧＢ変換部１２０で、前述と同様の信号処理が行われ、水平有効画素数が７６８画素／ライン，垂直有効ライン数が４８５ライン／フレームのＴＶ系デジタルＲＧＢ信号がＴＶ系スケーリング部１３０に供給される。
【００４２】
ＴＶ系スケーリング部１３０に供給された水平有効画素数が７６８画素／ライン，垂直有効ライン数が４８５ライン／フレームのＴＶ系デジタルＲＧＢ信号は、図１２に示すように所定の画像サイズで子画面として表示するため、ＴＶ系スケーリング部１３０で水平有効画素数が２５６画素／ライン，垂直有効ライン数が１９２ライン／フレームの画像サイズに水平垂直縮小される。ＴＶ系スケーリング部１３０で水平垂直縮小された水平有効画素数が２５６画素／ライン，垂直有効ライン数が１９２ライン／フレームのＴＶ系デジタルＲＧＢ信号は、映像信号合成部１４０に供給される。
【００４３】
映像信号合成部１４０は、システム制御部３０の指令に基づき、映像信号合成部１４０に供給された上記ＴＶ系デジタルＲＧＢ信号をフレームメモリ１５０の所定の領域に格納するよう動作する。すなわち、該水平有効画素数が２５６画素／ライン，垂直有効ライン数が１９２ライン／フレームのＴＶ系デジタルＲＧＢ信号は、図１２に示したように、ＴＶ映像信号の第１の表示領域に表示部２００で表示させるためには、図４に示すように、  （行アドレス＃１，列アドレス＃１０２５）から（行アドレス＃１９２，列アドレス＃１２８０）の領域にそれぞれマッピングされて図１２に示す第１のＴＶ子画面として格納される。
【００４４】
以下同様に、図１２に示したように、ＴＶ映像信号の第２の表示領域に表示部２００で表示させるためには、図４に示すように、  （行アドレス＃１９３，列アドレス＃１０２５）から（行アドレス＃３８４，列アドレス＃１２８０）の領域に、図１２に示したように、ＴＶ映像信号の第３の表示領域に表示部２００で表示させるためには、図４に示すように、  （行アドレス＃３８５，列アドレス＃１０２５）から（行アドレス＃５７６，列アドレス＃１２８０）の領域に、図１２に示したように、ＴＶ映像信号の第４の表示領域に表示部２００で表示させるためには、図４に示すように、  （行アドレス＃５７７，列アドレス＃１０２５）から（行アドレス＃７６８，列アドレス＃１２８０）の領域に、映像信号合成部１４０に供給された上記ＴＶ系デジタルＲＧＢ信号をそれぞれ第２，第３，第４のＴＶ子画面として格納される。
【００４５】
上記のように、フレームメモリ１５０の所定の領域に格納されたＰＣ系デジタルＲＧＢ信号（親画面）およびＴＶ系デジタルＲＧＢ信号（子画面）は、映像信号合成部１４０を介して順次読み出され表示部２００に供給され表示される。上記のようにＰＣ映像信号とＴＶ映像信号をそれぞれフレームメモリ１５０の所定の領域に所定の画像サイズでマッピングして格納し読み出すことによって、表示部２００で図２に示したようにＰＣ親画面と複数のＴＶ子画面を互いに重ならないように配置し表示することができる。さらに、ＴＶ子画面の画像サイズは、水平有効画素数２５６画素／ライン，垂直有効ライン数１９２ライン／フレームであり、ＴＶ映像信号のアスペクト比４：３を保持して表示されるので、ＴＶ子画面は水平垂直方向に画像歪なくＴＶ映像信号を表示することができる。
【００４６】
上記説明では、ＰＣ入力端子４０から供給されるＰＣ映像信号の解像度をＸＧＡとして説明したが、本発明の表示装置では該解像度を限定するものではない。例えば、ＰＣ映像信号の解像度がＶＧＡ（水平有効画素数が６４０画素／ライン，垂直有効ライン数が４８０ライン／フレーム）である場合には、ＰＣ系スケーリング部１７０において画像サイズが水平有効画素数１０２４画素／ライン，垂直有効ライン数７６８ライン／フレームになるよう水平垂直拡大すれば、ＰＣ映像信号の解像度がＸＧＡである場合と同様に、表示部２００で図２に示したようにＰＣ親画面と複数のＴＶ子画面を互いに重ならないように配置し表示することができる。すなわち、ＰＣ映像信号の解像度に応じて、ＰＣ系スケーリング部１７０で画像サイズを変換する機能を有するので、本発明の表示装置は特にＰＣ映像信号の解像度を限定するものではない。
【００４７】
上記説明より明らかなように、ＰＣ入力端子より供給されるＰＣ映像信号は、ＰＣ系スケーリング部１７０で縮小処理がされないので、解像度の劣化なくＰＣ親画面として表示部２００で表示されると共に、ＴＶ子画面はＴＶ系映像信号のアスペクト比４：３を保持して表示されるので、水平垂直方向の画像歪なく表示部２００で表示される。
【００４８】
つぎにリモコン３００の詳細を図１３を用いて説明する。リモコンは、複数のリモコンボタンを有し、それぞれの押下により表示装置の機能選択をおこなう。このうち代表的なボタン操作を以下に説明する。２／マルチ画面ボタン３１１は、上記で説明したＰＣ親画面とＴＶ子画面のマルチタイル表示機能と、従来技術で説明したピクチャ・イン・ピクチャ機能の選択をおこなうボタンであり、ＰＣモードで有効となる。ここで、ＰＣモードは図１３のＰＣボタンの押下でモード移行する。カーソルボタン３１２は上下左右の４つのボタンからなり、カーソル左右ボタンにより後述するＴＶ子画面の表示モード選択をおこない、カーソル上下ボタンにより後述するＴＶ子画面の選択ウィンドウの変更をおこなう。カーソルボタン３１２の中央には決定ボタン３１２が配置され、押下により後述するＴＶ子画面の選択ウィンドウを全画面に表示するように、ＰＣモードからＴＶモードに切り換える。チャネルボタン３１４の上下ボタンの押下により、ＴＶ子画面の選択ウィンドウに表示するＴＶチャネルを変更する。
【００４９】
上記のボタンの押下により、リモコン３００は表示装置の操作情報を出力し、これを受信したリモコン制御信号受信部３０１は、システム制御部３０に操作情報を伝達する。システム制御部３０は、このリモコン３００からの操作情報に基き上記で説明したＰＣ映像信号とＴＶ映像信号のＡ／Ｄ変換・スケーリング・合成制御をおこなう。
【００５０】
以上、本発明の表示装置において、ＰＣ映像信号を親画面、ＴＶ映像信号を複数の子画面として、図１２に示すように同一画面上に同時に重なり合わないように配置し表示する表示制御について説明したが、さらにＴＶ映像信号を複数のＴＶ子画面に表示する際の表示の更新方法について具体的に説明する。
【００５１】
まず、本発明の表示装置における第１の表示更新モードについて説明する。
本発明の表示装置における第１の表示更新モードは、図５の第１の表示更新モードを説明する図に示すように、第１のＴＶ子画面から第４のＴＶ子画面に、ユーザのリモコン操作によって、ユーザが視聴したいテレビジョン放送番組のＴＶ映像信号を、ユーザが指定したＴＶ子画面に動画像として表示更新するモードであり、以下のリモコン操作手順によって実現できる。
【００５２】
（ステップ１）
ユーザはリモコン３００の操作により、第１のＴＶ子画面から第４のＴＶ子画面の中から、ユーザが視聴したいテレビジョン放送番組のＴＶ映像信号を動画像として表示したいＴＶ子画面を一つ選択する。
【００５３】
（ステップ２）
ユーザはリモコン３００の操作により、手順１で選択したＴＶ子画面に表示したいテレビジョン放送番組（チャンネル）を選局する。
【００５４】
図１に示した本発明の表示装置は、上記手順によって以下のように動作する。上記ステップ１およびステップ２により、選択されたＴＶ子画面と該子画面に表示すべきテレビジョン放送番組（チャンネル）の情報がリモコン制御信号受信部３０１を介してシステム制御部３０に伝達される。システム制御部３０は該情報に基づき、チューナ２０に選局受信すべきテレビジョン放送番組（チャンネル）を指令する。チューナ２０は該指令に基づき、ユーザがリモコン操作によって指定したテレビジョン放送番組（チャンネル）を選局受信し、以降上述と同様に選局したテレビジョン放送番組のＴＶ映像信号（例えば、ＮＴＳＣ信号）に対して、ＡＤ変換部１１０，ＲＧＢ変換部１２０，ＴＶ系スケーリング部１３０でそれぞれ上記のようにＡＤ変換，ＲＧＢ変換，画像サイズの水平垂直縮小処理を行い映像信号合成部１４０に供給するよう動作する。システム制御部３０は、上記手順１でリモコン操作によって指定されたＴＶ子画面の情報に基づき、供給されたＴＶ映像信号をフレームメモリ１５０の指定されたＴＶ子画面の格納領域に格納するよう映像信号合成部１４０に指令する。映像信号合成部１４０は、システム制御部３０からの該指令に基づき、供給されたＴＶ映像信号をフレームメモリ１５０の指定されたＴＶ子画面の格納領域に格納すると共に読み出しを行い表示部２００で表示する。
【００５５】
以上によって、ユーザのリモコン操作によって、ユーザが視聴したいテレビジョン放送番組のＴＶ映像信号を、ユーザが指定したＴＶ子画面に動画像として表示される。
【００５６】
ユーザは、リモコン操作により上記手順１および２を繰り返すことによって、第１から第４のＴＶ子画面にユーザが指定したテレビジョン放送番組のＴＶ映像信号を動画像表示することができる。例えばユーザが第１のＴＶ子画面に指定したテレビジョン放送番組のＴＶ映像信号を動画表示するようリモコン操作した後、次に第２のＴＶ子画面に他の異なるテレビジョン放送番組を動画表示するようリモコン操作することができるが、この場合、第２のＴＶ子画面には上記説明のとおりユーザが指定したテレビジョン放送番組のＴＶ映像信号が動画像として表示されるが、第１のＴＶ子画面には、第２のＴＶ子画面に他の異なるテレビジョン放送番組を動画表示するようユーザがリモコン操作する直前にフレームメモリの第１のＴＶ子画面格納領域に格納されたＴＶ映像信号が静止画として表示されることになる。
【００５７】
上記内容をフローチャートに示すと図１４のようになる。リモコン３００のカーソル上下ボタンが押下されたとき（ステップ１４１）、ＴＶ映像信号を動画表示するアクティブなウィンドウを、カーソル上下ボタンの上下指示に応じて変更する（ステップ１４２）。つぎに、リモコン３００のチャネルボタンが押下されたとき（ステップ１４３）、アクティブウィンドウに動画表示するテレビジョン放送のチャネル番号を変更する（ステップ１４４）。その後、フレームメモリ上のアクティブウィンドウの領域にスケーリング処理されたデジタルのＴＶ映像信号を書き込む（ステップ１４５）。もし、カーソル上下ボタンやチャネルボタンの押下がなかったときには、以前設定されたアクティブウィンドウに、以前設定されたチャネル番号のＴＶ映像信号を書き込む。そして、ＰＣ映像信号と複数のＴＶ子画面ウィンドウを含む全フレームメモリのデータを読み出し表示部に出力する（ステップ１４６）。以上の処理を繰り返すことにより、アクティブウィンドウ（アクティブな子画面）に指定されたチャネルの動画像が表示され、非アクティブウィンドウ（他の子画面）には、以前アクティブなときに表示してチャネルの最後の静止画を表示する。つまり、カーソル上下ボタンで、見たい子画面を選択して動画表示をおこなうことができる。
【００５８】
次に、本発明の表示装置における第２の表示更新モードについて説明する。
本発明の表示装置における第２の表示更新モードは、図６（ａ）の第２の表示更新モードを説明する図に示すように、第１のＴＶ子画面から第４のＴＶ子画面まで一定の間隔（例えば５秒間隔）で順次指定されたテレビジョン放送番組のＴＶ映像信号を動画像として表示するＴＶ子画面を遷移させ、自動的に更新表示するモードであり、以下のシーケンスによって実現される。
【００５９】
（シーケンス１）
図１の本発明の表示装置のブロック図において、システム制御部３０からの指令に基づき、チューナ２０で第１のＴＶ子画面に表示するテレビジョン放送番組（チャンネル）を選局受信して、選局したテレビジョン放送番組のＴＶ映像信号（例えば、ＮＴＳＣ信号）に対して、ＡＤ変換部１１０，ＲＧＢ変換部１２０，ＴＶ系スケーリング部１３０でそれぞれ上記のようにＡＤ変換，ＲＧＢ変換，画像サイズの水平垂直縮小処理を行い、映像信号合成部１４０を介してフレームメモリ１５０の第１のＴＶ子画面格納領域に格納すると共に読み出しを行い表示部２００で表示する。所定時間（例えば５秒）、この処理を継続することにより、この間、表示部２００ではＰＣ映像信号を親画面として表示すると共に、第１のＴＶ子画面に表示すべく選局受信したテレビジョン放送番組（チャンネル）のＴＶ映像信号を第１のＴＶ子画面に動画像として連続表示される（図６（ｂ））。
【００６０】
（シーケンス２）
図１の本発明の表示装置のブロック図において、システム制御部３０からの指令に基づき、チューナ２０で第２のＴＶ子画面に表示するテレビジョン放送番組（チャンネル）を選局受信して、選局したテレビジョン放送番組のＴＶ映像信号（例えば、ＮＴＳＣ信号）に対して、ＡＤ変換部１１０，ＲＧＢ変換部１２０，ＴＶ系スケーリング部１３０でそれぞれ上記のようにＡＤ変換，ＲＧＢ変換，画像サイズの水平垂直縮小処理を行い、映像信号合成部１４０を介してフレームメモリ１５０の第２のＴＶ子画面格納領域に格納すると共に読み出しを行い表示部２００で表示する。所定時間（例えば５秒）、この処理を継続することにより、この間、表示部２００ではＰＣ映像信号を親画面として表示すると共に、第２のＴＶ子画面に表示すべく選局受信したテレビジョン放送番組（チャンネル）のＴＶ映像信号を第２のＴＶ子画面に動画像として連続表示される。このとき、第１のＴＶ子画面には、シーケンス１からシーケンス２に遷移する際、最後にフレームメモリ１５０の第１のＴＶ子画面格納領域に格納されたＴＶ映像信号がフレームメモリ１５０から読み出され静止画として表示される（図６（ｃ））。
【００６１】
（シーケンス３）
図１の本発明の表示装置のブロック図において、システム制御部３０からの指令に基づき、チューナ２０で第３のＴＶ子画面に表示するテレビジョン放送番組（チャンネル）を選局受信して、選局したテレビジョン放送番組のＴＶ映像信号（例えば、ＮＴＳＣ信号）に対して、ＡＤ変換部１１０，ＲＧＢ変換部１２０，ＴＶ系スケーリング部１３０でそれぞれ上記のようにＡＤ変換，ＲＧＢ変換，画像サイズの水平垂直縮小処理を行い、映像信号合成部１４０を介してフレームメモリ１５０の第３のＴＶ子画面格納領域に格納すると共に読み出しを行い表示部２００で表示する。所定時間（例えば５秒）、この処理を継続することにより、この間、表示部２００ではＰＣ映像信号を親画面として表示すると共に、第３のＴＶ子画面に表示すべく選局受信したテレビジョン放送番組（チャンネル）のＴＶ映像信号を第３のＴＶ子画面に動画像として連続表示される。このとき、第１のＴＶ子画面には、シーケンス１からシーケンス２に遷移する際、最後にフレームメモリ１５０の第１のＴＶ子画面格納領域に格納されたＴＶ映像信号が、第２のＴＶ子画面には、シーケンス２からシーケンス３に遷移する際、最後にフレームメモリ１５０の第２のＴＶ子画面格納領域に格納されたＴＶ映像信号が、フレームメモリ１５０から読み出され静止画として表示される（図６（ｄ））。
【００６２】
（シーケンス４）
図１の本発明の表示装置のブロック図において、システム制御部３０からの指令に基づき、チューナ２０で第４のＴＶ子画面に表示するテレビジョン放送番組（チャンネル）を選局受信して、選局したテレビジョン放送番組のＴＶ映像信号（例えば、ＮＴＳＣ信号）に対して、ＡＤ変換部１１０，ＲＧＢ変換部１２０，ＴＶ系スケーリング部１３０でそれぞれ上記のようにＡＤ変換，ＲＧＢ変換，画像サイズの水平垂直縮小処理を行い、映像信号合成部１４０を介してフレームメモリ１５０の第４のＴＶ子画面格納領域に格納すると共に読み出しを行い表示部２００で表示する。所定時間（例えば５秒）、この処理を継続することにより、この間、表示部２００ではＰＣ映像信号を親画面として表示すると共に、第４のＴＶ子画面に表示すべく選局受信したテレビジョン放送番組（チャンネル）のＴＶ映像信号を第４のＴＶ子画面に動画像として連続表示される。このとき、第１のＴＶ子画面には、シーケンス１からシーケンス２に遷移する際、最後にフレームメモリ１５０の第１のＴＶ子画面格納領域に格納されたＴＶ映像信号が、第２のＴＶ子画面には、シーケンス２からシーケンス３に遷移する際、最後にフレームメモリ１５０の第２のＴＶ子画面格納領域に格納されたＴＶ映像信号が、第３のＴＶ子画面には、シーケンス３からシーケンス４に遷移する際、最後にフレームメモリ１５０の第３のＴＶ子画面格納領域に格納されたＴＶ映像信号が、フレームメモリ１５０から読み出され静止画として表示される（図６（ｅ））。
【００６３】
以降、上記シーケンス１からシーケンス４を順次繰り返すことにより、ＰＣ映像信号を親画面として表示すると共に、第１のＴＶ子画面から第４のＴＶ子画面には、一定間隔（例えば５秒）で異なるテレビジョン放送番組のＴＶ映像信号を順次動画像で更新表示できる。なお、上記説明より明らかなように、第１から第４のＴＶ子画面のうち、動画表示されるＴＶ子画面は１つのＴＶ子画面であり、一定間隔（例えば５秒間）で動画表示されるＴＶ子画面が上記各シーケンス毎に第１のＴＶ子画面から第４のＴＶ子画面へと順次遷移し、動画表示されない他のＴＶ子画面は各シーケンスの遷移時にフレームメモリ１５０に格納された最後のＴＶ映像信号が静止画として表示される。
【００６４】
動画表示させたいＴＶ子画面と該子画面に表示するテレビジョン放送番組（チャンネル）は、上記第１の表示更新モードで説明したシーケンス１およびシーケンス２のユーザによるリモコン操作によって指定することができる。
【００６５】
以上から、ＰＣ画面を表示しながら子画面上に複数のテレビジョン放送番組を順次動画像されるので、異なる番組を平行して視聴することができる。
【００６６】
上記内容をフローチャートに示すと図１５のようになる。５秒の時間経過を監視し（ステップ１５１）、５秒ごとに、ＴＶ映像信号を動画表示するアクティブなウィンドウの変更（ステップ１５２）と、予め定義されたアクティブなウィンドウに動画表示するテレビジョン放送のチャネル番号を復帰する（ステップ１５３）。その後、フレームメモリ上のアクティブウィンドウの領域にスケーリング処理されたデジタルのＴＶ映像信号を書き込む（ステップ１５４）。つぎに５秒の時間経過を検出するまで、このアクティブウィンドウにチャネル番号で指定されたＴＶ映像信号を書き込む。そして、ＰＣ映像信号と複数のＴＶ子画面ウィンドウを含む全フレームメモリのデータを読み出し表示部に出力する（ステップ１５５）。
【００６７】
以上の処理を繰り返すことにより、５秒間は、アクティブウィンドウ（アクティブな子画面）に指定されたチャネルの動画像が表示され、非アクティブウィンドウ（他の子画面）には、以前アクティブなときに表示してチャネルの最後の静止画を表示する。つぎの５秒間はつぎのＴＶ子画面がアクティブとなる。つまり、複数の子画面に、５秒間隔で自動的にＴＶ画面を巡回表示することができる。
【００６８】
さらに、本発明の表示装置における第３の表示更新モードについて説明する。
本発明の表示装置における第３の表示更新モードは、図７（ａ）の第３の表示更新モードを説明する図に示すように、第１のＴＶ子画面から第４のＴＶ子画面の内１つのＴＶ子画面を動画表示子画面（例えば第１のＴＶ子画面）とし、他の３つのＴＶ子画面（例えば第２，第３，第４のＴＶ子画面）を静止画表示子画面として一定の間隔（例えば１０秒間隔）で自動的に更新し一括表示するモードであり、以下のシーケンスによって実現される。
【００６９】
（シーケンス１）
図１の本発明の表示装置のブロック図において、システム制御部３０からの指令に基づき、チューナ２０で第１のＴＶ子画面に表示するテレビジョン放送番組（チャンネル）を選局受信して、選局したテレビジョン放送番組のＴＶ映像信号（例えば、ＮＴＳＣ信号）に対して、ＡＤ変換部１１０，ＲＧＢ変換部１２０，ＴＶ系スケーリング部１３０でそれぞれ上記のようにＡＤ変換，ＲＧＢ変換，画像サイズの水平垂直縮小処理を行い、映像信号合成部１４０を介してフレームメモリ１５０の第１のＴＶ子画面格納領域に格納すると共に読み出しを行い表示部２００で表示する。表示部２００ではＰＣ映像信号を親画面として表示すると共に、第１のＴＶ子画面に表示すべく選局受信したテレビジョン放送番組（チャンネル）のＴＶ映像信号を第１のＴＶ子画面に動画像として連続表示する。
【００７０】
（シーケンス２）
シーケンス１で、第１のＴＶ子画面に表示すべく選局受信したテレビジョン放送番組（チャンネル）のＴＶ映像信号を第１のＴＶ子画面に動画像として一定時間（例えば１０秒間）連続表示した後、システム制御部３０からの指令に基づき、チューナ２０で第２のＴＶ子画面に表示するテレビジョン放送番組（チャンネル）を選局受信して、選局したテレビジョン放送番組のＴＶ映像信号（例えば、ＮＴＳＣ信号）に対して、ＡＤ変換部１１０，ＲＧＢ変換部１２０，ＴＶ系スケーリング部１３０でそれぞれ上記のようにＡＤ変換，ＲＧＢ変換，画像サイズの水平垂直縮小処理を行い、映像信号合成部１４０を介してフレームメモリ１５０の第２のＴＶ子画面格納領域に格納する。以下引き続いて、同様にシステム制御部３０からの指令に基づき、第３，第４のＴＶ子画面に表示するテレビジョン放送番組（チャンネル）を選局受信して、それぞれフレームメモリ１５０の第３，第４のＴＶ子画面格納領域に順次格納する。
【００７１】
これによって、フレームメモリ１５０の第２，第３，第４のＴＶ子画面格納領域には、それぞれ異なるテレビジョン放送番組のＴＶ映像信号が静止画として格納されるが、この格納の完了と共に読み出しを行い表示部２００で表示する。表示部２００ではＰＣ映像信号を親画面として表示すると共に、第１のＴＶ子画面にはシーケンス１と同様、第１のＴＶ子画面に表示すべく選局受信したテレビジョン放送番組（チャンネル）のＴＶ映像信号が動画像として連続表示され、第２，第３，第４のＴＶ子画面には、それぞれ本シーケンスにおいて選局受信されたテレビジョン放送番組のＴＶ映像信号が静止画として表示される。
【００７２】
以降、上記シーケンス１とシーケンス２を順次繰り返すことにより、ＰＣ映像信号を親画面として表示すると共に、第１のＴＶ子画面には第１のＴＶ子画面に表示すべく選局受信されたテレビジョン放送番組（チャンネル）のＴＶ映像信号が動画像として連続表示され、第２から第４のＴＶ子画面には、それぞれのＴＶ子画面に選局受信され異なるテレビジョン放送番組（チャンネル）のＴＶ映像信号が静止画として一定時間（例えば１０秒間）毎に更新表示される。
【００７３】
なお、動画表示させたいＴＶ子画面と該子画面に表示するテレビジョン放送番組（チャンネル）は、上記第１の表示更新モードで説明した手順１および２のユーザによるリモコン操作によって指定することができ、図７（ｂ）〜（ｄ）に示すように、動画表示できるＴＶ子画面はユーザのリモコン操作によって変更できる。
【００７４】
上記内容をフローチャートに示すと図１６のようになる。１０秒の時間経過を監視し（ステップ１６１）、１０秒ごとに、ＴＶ映像信号を動画表示するアクティブなウィンドウ以外のウィンドウに該ウィンドウに表示するチャンネルのスケーリング処理された静止画を書き込む（ステップ１６２、ステップ１６３、ステップ１６４）。１０秒の時間経過中は、アクティブなウィンドウに該ウィンドウに表示するチャンネルのスケーリング処理された映像信号を書き込む（ステップ１６６）。そして、ＰＣ映像信号と複数のＴＶ子画面ウィンドウを含む全フレームメモリのデータを読み出し表示部に出力する（ステップ１６５）。
【００７５】
ここで、アクティブウィンドウは、リモコンのカーソル上下ボタンで変更し、各ウィンドウに表示するチャネルは、同様にチャネルボタンの押下により変更するものとする。
【００７６】
以上の処理を繰り返すことにより、アクティブウィンドウ選択された子画面に動画表示され、それ以外の子画面は、１０秒ごとに自動的に表示更新するようになる。
【００７７】
つぎに、図８と図１７を用いて一定時間ごとにアクティブウィンドウが自動的に移動して次のチャネルを表示し、受信可能な全チャネルを順次表示する例を説明する。図８は概要を示す図であり、各子画面に表示するＴＶチャネルの遷移を表している。ＴＶチャネルの遷移では、斜体字が動画表示しているチャネル（アクティブ）を示しており、一定時間（例えば５秒）ごとに動画表示する子画面を移動し、受信可能な全チャネルを順次表示する。巡回表示は子画面ごとにチャネルを変更することによりおこなう。
【００７８】
図１７にフローチャートを示している。５秒の時間経過を監視し（ステップ１７１）、５秒ごとに、ＴＶ映像信号を動画表示するアクティブなウィンドウの変更（ステップ１７２）と、アクティブなウィンドウに動画表示するテレビジョン放送のチャネル番号を変更する（ステップ１７３）。このとき、チャネル番号の変更は、全チャネルを巡回するように更新する。その後、フレームメモリ上のアクティブウィンドウの領域にスケーリング処理されたデジタルのＴＶ映像信号を書き込む（ステップ１７４）。つぎに５秒の時間経過を検出するまで、このアクティブウィンドウにチャネル番号で指定されたＴＶ映像信号を書き込む。そして、ＰＣ映像信号と複数のＴＶ子画面ウィンドウを含む全フレームメモリのデータを読み出し表示部に出力する（ステップ１７５）。
【００７９】
以上の処理を繰り返すことにより、５秒間は、アクティブウィンドウ（アクティブな子画面）に指定されたチャネルの動画像が表示され、非アクティブウィンドウ（他の子画面）には、以前アクティブなときに表示してチャネルの最後の静止画を表示する。つぎの５秒間はつぎのＴＶ子画面がアクティブとなる。つまり、複数の子画面に、５秒間隔で自動的に全ＴＶ画面を巡回表示することができる。
【００８０】
なお、図１に示されるシステム制御３０や映像信号合成部１４０、フレームメモリ１５０の制御内容は、上記他の実施例と同様におこなわれる。
【００８１】
つぎに、図９と図１８を用いてアクティブウィンドウがカーソル上下ボタンの押下に対応して移動して次のチャネルを表示し、受信可能な全チャネルを順次表示するほかの例を説明する。図９は概要を示す図であり、各子画面に表示するＴＶチャネルの遷移を表している。ＴＶチャネルの遷移では、斜体字が動画表示しているチャネル（アクティブ）を示しており、カーソル上下ボタンの押下ごとに動画表示する子画面を移動し、受信可能な全チャネルを順次表示する。巡回表示は子画面数分のチャネル列を同時に変更し、その中でアクティブな画面を切り替えることによりおこなう。
【００８２】
図１８にフローチャートを示している。カーソル上下ボタンの押下を監視し、ボタンが押下されたとき（ステップ１８１）、子画面に表示するチャネル列を別のチャネル列にするか否かを判定する（ステップ１８２）。例えば、図１２で現在のアクティブウィンドウが子画面４・６ｃｈ表示だった場合に、カーソル上下ボタンの下ボタン押下のときは、次のチャネル列（８ｃｈ、１０ｃｈ、１２ｃｈ、１４ｃｈ）を表示するようにし、カーソル上下ボタンの上ボタン押下のときは、子画面４・４ｃｈがアクティブウィンドウに制御する。このように、次のチャネル列にする場合には、つぎの表示チャネル列のＴＶ映像信号の静止画データをフレームメモリに全ウィンドウに一旦書き込む（ステップ１８３）。ＴＶ映像信号の動画表示するアクティブウィンドウを変更し（ステップ１８４）、つぎに動画表示するＴＶ表示チャネルを変更する（ステップ１８５）。その後、フレームメモリ上のアクティブウィンドウの領域にスケーリング処理されたデジタルのＴＶ映像信号を書き込む（ステップ１８６）。そして、ＰＣ映像信号と複数のＴＶ子画面ウィンドウを含む全フレームメモリのデータを読み出し表示部に出力する（ステップ１８７）。
【００８３】
以上の処理を繰り返すことにより、カーソル上下ボタンの押下ごとに動画表示する子画面を移動し、受信可能な全チャネルを順次表示する。巡回表示は子画面数分のチャネル列を同時に変更し、その中でアクティブな画面を切り替えることができる。
【００８４】
以上、本発明の表示装置の第１の実施の形態について説明したが、図１０に本発明の表示装置の第２の実施の形態を示す。図１０は本発明の第２の実施の形態における表示装置のブロック図であるが、図１に示した本発明の表示装置における第１の実施の形態のブロック図に、外部入力端子８０と映像信号切換部６０を追加した構成になっている。
【００８５】
外部入力端子８０は、ＴＶ映像信号の外部入力端子であって、本発明の表示装置外部のＶＴＲやＤＶＤプレーヤなどの映像機器から供給されるＴＶ映像信号を入力するための端子である。映像信号切換部６０は、システム制御装置３０からの指令に基づき、チューナ２０から供給されるＴＶ映像信号と上記外部入力端子５０から供給されるＴＶ映像信号を切り換えて、ＡＤ変換部１１０に供給するものである。
【００８６】
上記外部入力端子８０と映像信号切換部６０を追加することによって、チューナ２０から供給されるＴＶ映像信号と上記外部入力端子５０から供給されるＴＶ映像信号を切り換えて、ＡＤ変換部１１０に供給することが可能となり、外部入力端子５０から供給されたＴＶ映像信号に対しても映像信号処理部１００でチューナ２０から供給されるＴＶ映像信号とまったく同じ信号処理を施すことにより、ＴＶ子画面に外部入力端子から供給されたＴＶ映像信号を表示することができる。
【００８７】
すなわち、図１０に示す本発明の第２の実施の形態のブロック図によれば、ユーザは、ＰＣ親画面上でＰＣ本体のマウスやキーボード操作で表計算作業や文書作成作業を行っている際にも、これら作業に全く影響を及ぼすことなく（すなわち、作業性を劣化させることなく）、複数のテレビジョン放送番組や外部入力端子５０に接続されたＶＴＲやＤＶＤプレーヤなどの映像機器から供給されるコンテンツを同時に視聴できる。
【００８８】
最後に、上記第１および第２の実施の形態においては、具体的にその詳細を説明するために、ＴＶ子画面の数が４である場合を例に説明したが、本発明の表示装置は、特にＴＶ子画面の数を限定するものではなく、他の数であっても本発明の主旨から外れるものではない。
【００８９】
【発明の効果】
本発明によれば、ＰＣ映像信号とＴＶ映像信号は、それぞれＰＣ親画面と複数のＴＶ子画面として互いに重ならないように配置し表示されるので、ユーザが本発明の表示装置をＴＶ受像機とＰＣモニタの兼用として使用する場合、ＰＣ親画面上でＰＣ本体のマウスやキーボード操作で表計算作業や文書作成作業を行っている際にも、これら作業に全く影響を及ぼすことなく（すなわち、作業性を劣化させることなく）、テレビジョン放送番組や本表示装置外部の映像機器から供給されるコンテンツを視聴できる。
【００９０】
また、ＴＶ子画面はＴＶ系映像信号のアスペクト比４：３を保持して表示されるので、水平垂直方向の画像歪なく表示され、ユーザはＰＣ親画面とのマルチ表示であっても，ＴＶ子画面を良好な画質で視聴することができる。
【００９１】
また、複数のＴＶ子画面を表示できるので、複数のコンテンツの視聴が可能となる。
【図面の簡単な説明】
【図１】本発明の表示装置のシステム構成図。
【図２】フレームメモリの書込み概念図。
【図３】ＰＣ画面の表示例。
【図４】ＰＣ親画面とＴＶ子画面のマルチ表示例。
【図５】表示モード１のＴＶ子画面表示の説明図
【図６】表示モード２のＴＶ子画面表示の説明図
【図７】表示モード３のＴＶ子画面表示の説明図
【図８】表示モード４のＴＶ子画面表示の説明図
【図９】表示モード５のＴＶ子画面表示の説明図
【図１０】他の本発明の表示装置のシステム構成図。
【図１１】従来のピクチャ・イン・ピクチャ表示例。
【図１２】本発明のＰＣ親画面とＴＶ子画面のマルチタイル表示例。
【図１３】リモコンの概要図
【図１４】表示モード１の制御フローチャート
【図１５】表示モード２の制御フローチャート
【図１６】表示モード３の制御フローチャート
【図１７】表示モード４の制御フローチャート
【図１８】表示モード５の制御フローチャート
【符号の説明】
２０…チューナ、１１０…ＡＤ変換部、１２０…ＲＧＢ変換部、
１３０…ＴＶ系スケーリング部、１６０…ＡＤ変換部、１７０…ＰＣ系スケーリング部、
１４０…映像信号合成部、１５０…フレームメモリ、
３００…リモコン、３０１…リモコン制御信号受信部、３０…システム制御部
２００…表示部
【図１】
2004334058.tif 000003
【図２】
2004334058.tif 000004
【図３】
2004334058.tif 000005
【図４】
2004334058.tif 000006
【図５】
2004334058.tif 000007
【図６】
2004334058.tif 000008
【図７】
2004334058.tif 000009
【図８】
2004334058.tif 000010
【図９】
2004334058.tif 000011
【図１０】
2004334058.tif 000012
【図１１】
2004334058.tif 000013
【図１２】
2004334058.tif 000014
【図１３】
2004334058.tif 000015
【図１４】
2004334058.tif 000016
【図１５】
2004334058.tif 000017
【図１６】
2004334058.tif 000018
【図１７】
2004334058.tif 000019
【図１８】
2004334058.tif 000020